(57)【要約】【課題】  画像読み取り装置（スキャナー）から取り込んだ画像や文字情報をパソコンなしで、直接CD-RやDVD-Rへ複製印刷を可能としたシステムを可能とする。そして、ユーザーは簡単な作業で所望の画像を電子情報記録メディアの表面に画像や文字を印刷することが可能となり、パソコン作業のわずらわしさを解消出来るようにする。【解決手段】  スキャナーで読み取り入力された画像を画像表示手段であるビューワで確認しながら、該画面上で印刷すべき画像の拡大・縮小やトリミング作業に従って印刷すべき画像サイズと位置を決定して、記録装置ユニットにセットされた電子情報記録メディアであるCD-RやDVD-Rへ直接印刷する。【選択図】  図１
2007088744.tif 000002
【特許請求の範囲】
【請求項１】
電子情報記録メディア表面へ画像を印刷する記録装置において、画像を読み取り込む手段と、該読み込まれた画像を表示する表示手段と、該表示手段に印刷範囲を示す略円形の情報記録メディア形状フレームとを備え、該フレームと取り込んだ画像を重ね合わせて形成された該画像データを印刷記録ユニットに設置された電子情報記録メディア表面へ印刷することを特徴とする記録装置。
【請求項２】
画像表示手段によって設定された画像は、任意な拡大率変化とトリミングが可能であり、該情報をもとに印刷記録ユニットに設置された電子情報記録メディアへ直接複製印刷することを特徴とする請求項１に記載の記録装置。
【請求項３】
電子情報記録メディアは、電子記録ができるCD／CD-R、DVD／DVD-Rであることを特徴とする請求項１、又は請求項２に記載の記録装置。
【請求項４】
電子情報記録メディア表面へ画像を印刷する記録装置において、画像読み取り手段と、画像の位置情報を検出する手段を有し、前記読み取り手段によって電子情報記録メディア表面に印刷された画像を読み取って該形状と位置を自動検出させ、その情報をもとに印刷記録ユニット部に設置された別の電子情報記録メディア表面に画像を複製印刷することを特徴とする記録装置。
【請求項５】
電子情報記録メディアは、電子記録ができるCD／CD-R、DVD／DVD-Rであることを特徴とする請求項４に記載の記録装置。
【請求項６】
電子情報記録メディア表面へ画像を印刷する記録装置において、画像読み取り部に電子情報記録メディアに対応した補助部材を設置し、位置情報を確定させ、該読み取った画像情報をもとに印刷記録ユニット部に設置された別の電子情報記録メディア表面に画像を複製印刷することを特徴とした記録装置。
【請求項７】
電子情報記録メディアへの補助部材は、略円形状の空洞部を設けることを特徴とする請求項６に記載の記録装置。
【請求項８】
電子情報記録メディアへの印刷記録方式は、インクジェット記録方式であることを特徴とする請求項１〜請求項７のいずれかに記載の記録装置。
【発明の詳細な説明】
【技術分野】
【０００１】
本発明の分野は、インクジェット記録装置をベースとして設計された複合機能機であるマルチファンクションプリンタ（通称MFPとも言う）を用い、画像読み取り装置（スキャナー）から取り込んだ画像や文字情報をパソコンなしで、直接CD-RやDVD-Rへ複製印刷を可能としたシステムを有する記録装置に関わるものである。
【背景技術】
【０００２】
近年のデジタルカメラの普及により、写した写真画像はデジタルデータとして各種電子メディア保存することが増えつつある。ユーザーは通常デジタルデータを整理、保存するために一度パソコンのハードディスク内に格納して保存している。
【０００３】
しかしデジタルカメラの高機能化が進み解像度が向上するに従って画像ファイルが徐々に大きくなり、今までは200万画素クラスであったものが最近では500万画素クラスが普及機になりつつあり、高級機では1000万画素を超えてきている。そのような環境の変化で撮った写真のファイルサイズは大きくなりパソコン内の保存手段であるハードディスクを圧迫して限界を感じてきている。
【０００４】
ここで、写真だけでなくブロードバンド化に伴い、音楽配信や映画等映像配信サービスも盛んになりつつあり、大量のデジタル化されたデータの保存の需要も増えている。
【０００５】
そのため一度パソコン内のハードディスク内に保存した写真データを外部の電子記録メディアにバックアップするためにMOやCD-Rへ保存したりすることが必須となってきた。幸いに最近のパソコン自体には、CD-R書き込み機能やDVD-R対応機も増えると同時に、電子情報記録メディアであるCD-RやDVD-Rも安価となりユーザーは購入しやすく、簡単に電子データのバックアップが可能となってきた。
【０００６】
こういった環境の中で、複製したいデータをCD-RやDVD-Rへユーザーが整理をするために、その複製したCD-R等の表面にタイトルや画像を印刷したい要望が増えている。最近ではインクジェット記録装置対応のレーベルCD-RやDVD-Rが出ており、表面はいわゆる白紙状態でありインクジェット記録に適した処理がされている。すなわちユーザーは自由自在に画像や文字入力をすることが可能となり、複製したCD-RやDVD-Rを整理することが可能となっている。
【０００７】
記録装置販売メーカーは、記録装置内にCD-R等を設置させるための機構を設け、印刷するためのアプリケーションを開発して商品化している。パソコンを使用し、アプリケーションで画像の加工や文字の入力を実施後にプリンタドライバを介して印刷を実施していた。
【０００８】
しかし複合機能機であるマルチファンクションプリンタ（通称MFPとも言う）を用いて電子情報記録メディアであるCD-RやDVD-Rの表面に直接複製印刷する手段は提案されていなかった。本願では、画像読み取り装置（スキャナー）から取り込んだ画像や文字情報をパソコンなしで、直接CD-RやDVD-Rへ複製印刷を可能としたシステムであり、表示手段を利用することで尚操作を容易にすることができる。パソコンなしで、アプリケーション設定のわずらわしさを解消することができるものである。
【０００９】
又、別の従来例としては、特許文献１〜特許文献４をあげることが出来る。
【特許文献１】特開平１０−２８２３１号公報
【特許文献２】特開２００３−２７４１３８号公報
【特許文献３】特開２００１−１０３２２７号公報
【特許文献４】特開２００３−５９１１３号公報
【発明の開示】
【発明が解決しようとする課題】
【００１０】
インクジェット記録装置に代表される電子情報記録メディアであるCD-RやDVD-Rへタイトル画像や文字を直接印刷記録するものが提案されている。近年のデジタルカメラの普及により、写した写真画像を整理させるために一度パソコンのハードディスク内に格納して保存することが多い。
【００１１】
しかしデジカメの解像度が向上するに従い画像ファイルが徐々に大きくなり保存手段であるハードディスクを圧迫している。そのため外部の電子記録メディアにバックアップするためにMOやCD-Rへ保存したりすることが多くなってきた。近年においては画像、音楽、データ等あらゆる電子データをCD-RやDVD-Rへ書き込む機会が増えつつあり、安価でかつ手軽に複製できるようになってきた。
【００１２】
前記CD-RやDVD-Rは予め表面にタイトルや画像を印刷できるような処理がされて、いわゆる白紙状態のものをレーベルCD-R、DVD-Rとして多く販売されている。ユーザーは、任意な画像や文字を自由に設定して印刷を行うことができる。
【００１３】
これらの電子情報記録メディアの表面への印刷は、インクジェット記録装置をベースとして設計されたものが提案されている。実施に際してはパソコンでCD-R印刷用のアプリケーション内で画像の加工や文字入力を実施している。その後にプリンタドライバを介して記録装置へデータを送って印刷を行うものである。
【００１４】
ここで複合機能機であるマルチファンクションプリンタ（通称MFPとも言う）を用いることで、画像読み取り装置（スキャナー）から取り込んだ画像や文字情報をパソコンなしで、直接CD-RやDVD-Rへ複製印刷を可能としたシステムを可能とする。ユーザーは簡単な作業で所望の画像を電子情報記録メディアの表面に画像や文字を印刷することが可能となり、パソコン作業のわずらわしさを解消することができるものである。
【課題を解決するための手段】
【００１５】
マルチファンクションプリンタには、画像読み取り装置（以下スキャナーとも言う）が搭載されている。また記録装置本体には読み取った画像を表示する表示手段（以下ビューワとも言う）が備えてあり、これから印刷すべき画像を見ることが可能となっているものが多く提案されている。また本記録装置には通常の紙を印字するだけでなく、電子情報記録メディアであるＣＤ-RやDVD-Rへの印刷記録手段も有している。
【００１６】
今までは複合機としての各種提案されてきているが、パソコンなしで読み取った画像を直接電子情報記録メディアであるCD-RやDVD-Rへ印刷する手段をもっていなかった。
【００１７】
従来は印刷する画像に対しパソコンを活用し、かつCD印刷用のアプリケーションによって画像の配置や文字入力等の加工していた。そのデータに従ってプリンタドライバを介して記録装置にセットされたCD-RやDVD-Rへ印刷を行っていたというわずらわしさがあった。
【００１８】
本願では、スキャナーで読み取り入力された画像を画像表示手段であるビューワで確認しながら、該画面上で印刷すべき画像の拡大・縮小やトリミング作業に従って印刷すべき画像サイズと位置を決定して、記録装置ユニットにセットされた電子情報記録メディアであるCD-RやDVD-Rへ直接印刷可能にしたものである。
【００１９】
初めに印刷したい画像や原稿、または元となるCD表面に印刷された画像をスキャナーで画像を取り込む。読み取られた画像は、その位置情報やサイズを自動的に記録装置本体内にある回路を通じてメモリ内へ記憶することができる。次に読み取った画像を画像表示手段である液晶ビューワに表示させ印刷する設定を行う。ビューワにはCD-Rへ印刷が容易なように画面上にCD-Rと略同形状の円形フレーム（枠）が表示され、どの位置へどのような画像を印刷できるかを目で見てわかる様にしてある。
【００２０】
ビューワでは画像の拡大やトリミングが自由に設定できユーザーは任意に決めることができ、画像の設定が確定した時点で印刷指令を出す。そうすることで、記録装置内に予めセットされた別の印刷可能な電子情報記録メディアであるCD-RやDVD-Rの表面へ指定された画像印刷を行う。
【発明の効果】
【００２１】
本発明によると、読み取り手段であるスキャナーと印刷記録ユニットをもった印刷装置で電子情報記録メディアであるCD-RやDVD-Rへの表面に画像や文字情報を印刷する際に、パソコン等の外部機器がなくても簡単に複製印刷が可能となり、今までの操作のわずらわしさがなくなった。
【発明を実施するための最良の形態】
【００２２】
次に、本発明の詳細を実施例の記述に従って説明する。
【００２３】
（第一の実施形態）
図１は、本願を説明する代表例であるマルチファンクションプリンタの概観図である。１００は記録装置、１０１は読み取り装置であるスキャナーで記録装置と一体構成されている。１０２はスキャナーで読み取った画像を表示するための表示手段であるビューワであり一般的に用いられている液晶モニターである。
【００２４】
１０３はユーザーが各種設定可能な設定キーであり上下、左右のキーを操作することでビューワ上の画像を任意に移動することや拡大、縮小、トリミングすることが可能となっている。１０４は印刷の元となる原稿等の印刷物や写真等の画像である。１０５は電子情報記録メディアであるCD-RやDVD-Rのような媒体で、表面に印刷できる仕様のものである。
【００２５】
該CD-RやDVD-Rはインクジェットでの印刷適性がされていて直接印刷可能なレーベルCD-R／DVD-Rである。１０６はトレイであり、記録装置内の不図示の光学センサで印刷前に前記電子情報記録メディアであるCD-RやDVD-Rの位置情報を精度良く読み込むことができるように工夫してある。トレイ１０６には位置情報を示す反射板を設けたり、色を替えたり、穴をあけたりして読み取り精度の向上を図っている。
【００２６】
初めに印刷したい写真や画像１０４を読み取り装置１０１上に置く。図１では読み取る画像１０４をわかりやすくするため表側に表示しているが、実際には画像部分を裏面にしてセットするのが一般的であり、下側にある読み取り手段をスキャンさせるものである。次に読み取り装置のカバーを閉めて写真等が浮かないようにしてから、データの読み込みを開始する。開始にあたっては記録装置１００上に設置してある各種設定キーを押すことで実施される。
【００２７】
画像を読み取ると、記録装置上にある画像表示手段であるビューワ１０２上に、読み取った画像が表示される。
【００２８】
ビューワ１０２には、CD-Rを印刷する設定を実施した場合に、記録装置内部メモリにあるCDフレーム（略円形上の規定された枠の画像）が表示される。図２a、図２ｂで具体的な作業について説明をする。
【００２９】
ユーザーは読み取った画像とこれから印刷するCD-Rへの画像サイズのマッチングをすることが出きる。図２aは読み取った画像が液晶モニター（ビューワ）１０２に表示されるので、ユーザーは該画像を拡大・縮小やトリミングによって画像サイズや位置を決定する。仮に画像が大きすぎて小さくしたい時には、図２bにあるように矢印Ａの方向へ小さく設定し、ＣＤフレーム内へ画像をはめ込むようにする。
【００３０】
挿入文字は、記録装置に内蔵されている簡易ソフトを用いて入力することができる構成となっていて、不図示の記録装置上にあるキーによって入力する。また別途キーボードをUSB等のインターフェースを介して接続することで自由に文字が入力できるシステムとしても一向に構わない。
【００３１】
印刷すべき画像と文字が決定したら、記録装置１００上（不図示）の印刷キーを押すと記録装置部にセットされたCD-R表面へ画像の印刷を開始する。開始にあたり予めセットされているCD-Rに対し、位置情報やサイズが整合取れているかを記録装置の印字部分に設置している不図示の光学センサで読み取る。光学センサは従来の提案にもあるように赤色LEDや白色LEDなどを用いることでトレイの位置やCD-Rの位置情報を入手できる。
【００３２】
図３にわかりやすい様に具体的なフローチャートを示す。ステップ（STと略す）ごとの流れを説明する。
【００３３】
ＳＴ１〜ＳＴ７までは前記で説明したので省略する。ＳＴ８ではCD-Rをセットしたトレイの位置およびCD-R位置の自動検出を行い、どこに印刷すべきかを確定する。ＳＴ９で検出情報が正しいと判断されたときにはＳＴ１０へ進み印刷を開始する。仮にCD-Rが正しくセットされていないと認識した際には、ＳＴ１２へ進み、再度自動検出動作を繰り返し実行する。
【００３４】
３回実施しても正しくセットされていないことを判断した際には、ＳＴ１３へ進みビューワ１０２の画面にエラー表示を行う。表示内容はユーザーに再度CD-Rをセットし直しを促すように表示しているが、特定されるものではなく目的を達成させる手段であれば良い。正常にセットされているときにはＳＴ１０の印刷を経て、ＳＴ１１で排出動作を行って終了する。
【００３５】
このように今まではパソコンのアプリケーションとプリンタドライバを通してCD-Rへ印刷していたものをマルチファンクション機能であるスキャナーでの画像読み取りとその位置情報の検出センサと記録装置内へのメモリ格納とを行い、その情報に従って直接印刷ができるので、わずらわしい作業をせずに簡単にCD-R印刷をすることができる。
【００３６】
（第二の実施形態）
次に第２の実施例について説明をする。図４に記録装置の概観を示す。一度作成したCD-Rの複製を実施するものである。近年のデジカメの普及により旅行先で撮ったデジタル写真を複数の友人にあげるために、CD-Rの複製をさせたいときに簡単にできる手段である。
【００３７】
一度に複数作成する際には、PCを利用したCD-Rプリントでも十分であるが、本機能を用いればPCなしで複製することが可能となる。一度作成したCD-Rの表面に印刷された画像を単純に複製するだけでなく、例えば相手の名前を記入したり、季節に応じて落ち葉等の現物をCDに挟み込んだりして、そのまま読み取ることで容易にCD-Rへの印刷を可能とさせる。
【００３８】
図５aは、スキャナーで元画となるCD表面に印刷されている画像を読み取る。ビューワ１０２には画像が表示される。仮にここで文字や画像の追加があれば加工することもできる。
【００３９】
図５bは、CD-Rへ印刷する設定により、記録装置内のCDフレームを表示させたものであり、読み取った画像とCDフレームを一致させる。仮に寸法が同じ場合には特にサイズを一致させる必要性はなく印刷へ進めばよい。
【００４０】
ただし印刷されるCD-RがMDサイズのものには、サイズを合わせ込む必要性がでてくる。
【００４１】
図６は、各ステップ（以下STと略す）ごとに説明する。本実施例はスキャナーの読み取り部の上に直接元画となるCD現品を置くものであり、ＳＴ２１でＣＤ表面に印刷された画像を読み取り、ＳＴ２２、２３でCDの置かれている位置情報や画像サイズを自動検出する。ＳＴ２４では、読み取った情報を記録装置内のメモリ内へ格納し、ＳＴ２５で該情報を元に画像表示手段であるビューワ１０２へ表示させる。
【００４２】
仮に読み込まれた画像の拡大、縮小やトリミングが必要な際にはＳＴ２６へ進む。記録装置上の設定キーによって任意にユーザー設定することができる。ＳＴ２７以降は前記実施例１でも説明したのでここでは省略する。
【００４３】
図７は、表示手段であるビューワがない記録装置での処理のフローを示すものであり、各ステップは図６で説明したものとほぼ同一である。位置情報と画像をスキャナーで読み取り、その情報を記録装置内のメモリへ格納して、その情報を元に記録装置に設置してある別のCD-RやDVD-Rへ複製印刷を実施することで、元画の複製をＰＣなしで簡単にできる。
【００４４】
（第三の実施形態）
次に第３の実施例を説明する。スキャナーで読み取った画像を表示させるビューワがない記録装置の例である。ビューワがないとユーザーは読み取った画像を直接確認することができない。そのため単純な複製機能を達成するために補助部材を使った例である。図８はマルチファンクションプリンタの概観である。８０１は補助部材であり、略中央にＣＤと略同サイズの穴があいている。ここに元画となるＣＤ８０２をセットして、その後にスキャナーの読み取り部の上へ置くことで、ＣＤの位置検出能力があがる。
【００４５】
図９にＣＤセットトレイ８０１へ元画となるＣＤ８０２を取り付ける様子を示す。ＣＤは印刷された画像部を下側にしてセットする。ここでＣＤセットトレイは単独で取り外せるものであるが、読み取り装置のフタ部分へ取り付けられていても構わない。該CDトレイ８０１には前記した様に略円形の穴があいているが、特定されるものではなくスキャナー読み取りしやいものであれば良い。例えば円形の四隅に別の補助穴を設けることも可能である。図１０a、および図１０bはその一例を示している。
【００４６】
図１０a、図１０bにある補助穴は、スキャナーで読み取られた元CDの画像に対し、補助部材８０１であるCDトレイの形状や位置を読み取ることが可能である。その結果を一度記録装置内のメモリ内へ格納し、そのデータに従って記録装置に設置された別のCD-R表面へ複製印刷を実行する。フローチャートは第二の実施例で説明をした図７にフローに従って実施してよい。
【００４７】
以上説明をしたように、パソコンや特別なアプリケーションを使用すると言った操作のわずらわしさなく複合機能機であるMFPで簡単に複製印刷が可能となった。
【図面の簡単な説明】
【００４８】
【図１】本願第一実施例の記録装置の概観図
【図２】aおよびbは画像表示手段（ビューワ）に表示された具体例を示す画像
【図３】第一実施例に関わるシーケンスフロー
【図４】第二の実施例の記録装置の概観図
【図５】aおよびbは画像表示手段（ビューワ）に表示された具体例を示す画像
【図６】第二の実施例でのシーケンスフロー
【図７】第二の実施例での他のシーケンスフロー
【図８】第三の実施例の記録装置の概観図
【図９】CDセットトレイの概観図
【図１０】aおよびbはCDトレイの他の例
【符号の説明】
【００４９】
１００  記録装置
１０１  読み取り装置であるスキャナー
１０２  画像表示手段であるビューワ
１０３  記録装置上に設置してある機能設定キー
１０４  原稿、画像
１０５  電子情報記録メディア
１０６  電子情報記録メディアを設置するトレイ
１１０  元画像となるCD
２０１  画像表示部に表示された略円形のフレーム画
８０１  CDセットトレイ
９０１  CDトレイ穴
９０２  CDトレイ穴
【図１】
2007088744.tif 000003
【図２】
2007088744.tif 000004
【図３】
2007088744.tif 000005
【図４】
2007088744.tif 000006
【図５】
2007088744.tif 000007
【図６】
2007088744.tif 000008
【図７】
2007088744.tif 000009
【図８】
2007088744.tif 000010
【図９】
2007088744.tif 000011
【図１０】
2007088744.tif 000012